(57)【要約】【課題】靴を装着した際の靴の踵部への良好で持続的な適合を可能とした靴及びそれに用いる中敷きを提供すること。【解決手段】アウトソール２とアッパー３とアウトソール２における踵が当接する部分に備えた中敷き１１を具備し、中敷き１１は、中敷き本体１２と中敷き本体１２の下方に形成された弾性空間１７を有し、中敷き本体１２は、下方側への空気の移動のみを許容する通気孔１３０２を有するとともに下方側へ変形自在な底部１３と底部１３の左右側及び後方側に上方に向けて連設した左右側壁１４および後部側壁１５と底部１３の前方側、左右側及び後方側に下方に向け連設した脚部１６とを一体に構成し、弾性空間１７は、底部１３と脚部１６で囲まれる空間に形成され、圧力を受けることで変形し圧力が解除されることで復元可能な弾性体１８を内部に備えて通気孔１３０２を介し内部への空気流入を可能とした。【選択図】図１
2009045212.tif 000002
【特許請求の範囲】
【請求項１】
少なくとも、アウトソール（２）と、アッパー（３）と、前記アウトソール（２）における使用者の踵が当接する部分に備えた中敷き（１１）と、を備えた靴（１）であって、
前記中敷き（１１）は、
足の踵部分を包み込む中敷き本体（１２）と、該中敷き本体（１２）の下方に形成された弾性空間（１７）と、を具備し、
前記中敷き本体（１２）は、足裏の踵部分が当接する、上方に凸状に湾曲する凸状部（１３０１）を有するとともに下方側へ変形自在な底部（１３）と、該底部（１３）の左右側にわずかに外側に傾けつつ上方に向けて連設された左右側壁部（１４）と、前記底部（１３）の後方側に上方に向けて連設された後部側壁部（１５）と、前記底部（１３）の前方側、左右側及び後方側に下方に向けて連設された脚部（１６）と、を一体にして構成されるとともに、前記底部（１３）には、下方側への空気の移動を許容し上方側への空気の移動を阻止する通気孔（１３０２）を有して、
前記弾性空間（１７）は、前記底部（１３）と前記脚部（１６）で囲まれる空間内に形成された空洞部であり、圧力を受けることにより変形し圧力が解除されることにより復元可能な弾性体（１８）を内部に備え、前記通気孔（１３０２）を介して内部に空気を受け入れることを可能とした、ことを特徴とする靴。
【請求項２】
少なくともアウトソール（２）とアッパー（３）とを具備した靴の内部における踵が挿入される箇所に備えられる中敷きであって、
足裏の踵部分を包み込む中敷き本体（１２）と、該中敷き本体（１２）の下方に形成された弾性空間（１７）と、を具備し、
前記中敷き本体（１２）は、足裏の踵部分が当接する、上方に凸状に湾曲する凸状部（１３０１）を有するとともに下方側へ変形自在な底部（１３）と、該底部（１３）の左右側にわずかに外側に傾けつつ上方に向けて連設された左右側壁部（１４）と、前記底部（１３）の後方側に上方に向けて連設された後部側壁部（１５）と、前記底部（１３）の前方側、左右側及び後方側に下方に向けて連設された脚部（１６）と、を一体にして構成されるとともに、前記底部（１３）には、下方側への空気の移動を許容し上方側への空気の移動を阻止する通気孔（１３０２）を有して、
前記弾性空間（１７）は、前記底部（１３）と前記脚部（１６）で囲まれる空間内に形成された空洞部であり、圧力を受けることにより変形し圧力が解除されることにより復元可能な弾性体（１８）を内部に備え、前記通気孔（１３０２）を介して内部に空気を受け入れることを可能とした、ことを特徴とする中敷き。
【発明の詳細な説明】
【技術分野】
【０００１】
本発明は靴及びそれに用いる中敷きに係り、より詳しくは、踵の形状に左右されずに、靴を装着した際に踵の形状に適合可能な靴底を具備した靴及びそれに用いる中敷きに関する。
【背景技術】
【０００２】
一般的に靴には歩行性能が良いことが求められるが、この歩行性を良くするために、従来から、靴の衝撃吸収性能を良くし、これにより、歩行の際に使用者が受ける衝撃を緩和して、歩行によって使用者の負担を少なくして歩行性能を良くした靴が提供されている。
【０００３】
しかしながら、靴の衝撃吸収性能を良くして歩行の際に使用者が受ける衝撃を緩和した場合であっても、歩行の際の使用者の負担を少なくするには不十分であり、そのため、使用者の足に各種の障害を引き起こしてしまうおそれがある。
【０００４】
即ち、足に適合しない靴を履き続けると、外反母趾や内反小趾、後脛骨筋腱機能不全症、嵌入爪、鉤状趾といった靴による足の障害を引き起こすことが知られているため、これらの障害の発生を防止するためには、足に適合した靴を履くことが好ましい。
【０００５】
そして、靴を足に適合させるには、踵の形状に合った靴を選択し、さらに、靴ひもを備えた靴の場合には靴ひもを締めることにより踵を靴に圧着させる必要がある。
【０００６】
しかしながら、踵の形状は人によって異なるために、従来の既製靴では、すべての踵の形状に合わせることは困難である。
【０００７】
この点、オーダーメード靴では使用者の踵の形状に合わせて靴を作製することはできるが、高価であり、採寸から作製までに時間がかかり大量生産できないため、限られた人しか使用できないという問題点がある。
【０００８】
更に、靴ひもを備えた靴の場合には、靴を足に適合させるには、靴ひもを締めなければならないために、靴を履くたび毎に、また、履いた後も定期的に、靴ひもを締める必要があるが、実際にこの作業を行っている人はまれである。
【０００９】
そのために、現実には、大多数の人が、足に適合しない靴を履いていると考えられ、このことが、外反母趾や内反小趾、後脛骨筋腱機能不全症、嵌入爪、鉤状趾といった靴による足の障害が減らない原因であると考えられるが、この問題を解決可能な靴は提供されていなかった。
【００１０】
この点、特開平６−１８１８０２号公報には、靴甲皮上に流体を封じ込める第１手段と、靴底上に流体を封じ込める第２手段と、これを第１、第２の封じ込め手段を満たす流体と第１、第２の封じ込め手段を流体連絡する連通手段と、を備え、第１、第２の封じ込め手段が足および足首のまわりに係合することで、足首を支えることを可能にした「反応エネルギー装置」が開示されている。
【００１１】
しかしながら、上記「反応エネルギー装置」では、足首を支えて安定性を確保することは可能だが、踵に適合した靴を得ることはできない。
【００１２】
また、上記「反応エネルギー装置」では、流体の移動によって第１、第２の封じ込め手段を足および足首のまわりに係合させる方法であるために、構造が複雑にならざるを得ないという問題点も指摘できる。
【特許文献１】特開平６−１８１８０２号公報
【特許文献２】特開平６−２９６５０４号公報
【特許文献３】特開２００２−１６５６０８号公報
【特許文献４】特開２００２−２９１５０１号公報
【特許文献５】特開２００４−１８１１８２号公報
【特許文献６】特開２００５−１８５７４８号公報
【発明の開示】
【発明が解決しようとする課題】
【００１３】
そこで、本発明は、靴を装着した際の靴の踵部への良好で持続的な適合を可能とした靴及びそれに用いる中敷きを提供することを課題としている。
【課題を解決するための手段】
【００１４】
本発明の靴は、少なくとも、アウトソールと、アッパーと、前記アウトソールにおける踵が当接する部分に備えた中敷きと、を備えた靴であって、
前記中敷きは、
足裏の踵部分を包み込む中敷き本体と、該中敷き本体の下方に形成された弾性空間と、を具備し、
前記中敷き本体は、足裏の踵部分が当接する、上方に凸状に湾曲する凸状部を有するとともに下方側へ変形自在な底部と、該底部の左右側にわずかに外側に傾けつつ上方に向けて連設された左右側壁部と、前記底部の後方側に上方に向けて連設された後部側壁部と、前記底部の前方側、左右側及び後方側に下方に向けて連設された脚部と、を一体にして構成されるとともに、前記底部には、下方側への空気の移動を許容し上方側への空気の移動を阻止する通気孔を有して、
前記弾性空間は、前記底部と前記脚部で囲まれる空間内に形成された空洞部であり、圧力を受けることにより変形し圧力が解除されることにより復元可能な弾性体を内部に備え、前記通気孔を介して内部に空気を受け入れることを可能とした、ことを特徴としている。
【発明の効果】
【００１５】
本発明において中敷き本体は、底部と、この底部の左右側及び後方側に上方に向けて連設された左右側壁部及び後部側壁部と、前記底部の前方側、左右側及び後方側に下方に向けて連設された脚部とを一体にして構成するとともに、底部は、上方に凸状に湾曲する凸状部を有するとともに下方側へ変形自在としている。そのため、踵を底部上に乗せて底部に踵からの荷重がかかると、底部が下方側へ変形し、それに伴って側壁が内方に傾き、これにより、靴ひもを締めることなく、側壁によって足部を把持することができ、これにより踵を靴に適合させることができる。
【００１６】
また、このとき、左右の側壁はわずかに外側に傾けつつ上方に向けて底部に連設しており、これにより底部の上方の開口を広くしているために、踵を容易に中敷き本体内に侵入させることができる。
【００１７】
更に、前記底部と前記脚部で囲まれる空間内には弾性空間が形成されるとともに、この弾性空間は、圧力を受けることにより変形し圧力が解除されることにより復元可能な弾性体を内部に備えているために、踵に加わる衝撃等をこの弾性空間の変形により吸収することができる。
【００１８】
また、前記底部には、下方側への空気の移動を許容しつつ上方側への空気の移動を阻止する通気孔を有するとともに、弾性空間は、この通気孔を介して内部に空気を受け入れることを可能としているために、歩行周期における踵の離床期においても、側壁による足部の把持を維持することができ、踵部への適合性を維持することができる。
【００１９】
即ち、弾性空間の空洞は、歩行周期において、踵着床期から足底接地期にかけて踵からの荷重がかかると縮み、趾離床期から遊脚期にかけて荷重がかからなくなると膨らむが、このとき、弾性空間内への空気の流入は前記通気孔を介して行われるため、空気の流入量が制限される。従って、これにより弾性空間は直ちには膨らまないとともに、膨らんだ場合でも、踵を底部上に乗せる以前の状態までには復元しない。そのため、底部に荷重がかからない趾離床期から遊脚期にかけても底部の上方の間口間は大きくは開口せず、従って歩行全周期において中敷き本体における側壁の踵部への適合性は維持される。
【発明を実施するための最良の形態】
【００２０】
本発明の靴では、地面に設置するアウトソールと、このアウトソールの周縁部に連設された、足の甲部分を包み込むアッパーと、前記アウトソールの上部における踵が当接する部分に備えた中敷きを具備している。
【００２１】
そして、前記中敷きは、踵部分を包み込む中敷き本体と、該中敷き本体の下方に形成された弾性空間とを具備しており、アウトソールの上部に固着、あるいは着脱自在に配置されている。
【００２２】
また、中敷き本体は、足裏の踵部分が当接する底部を有しており、この底部は、上方に凸状に湾曲した凸状部を有するとともに下方側へ変形自在とし、下方側への空気の移動を許容し上方側への空気の移動を阻止する複数個の通気孔を有している。
【００２３】
更に、底部の左右側には、わずかに外側に傾けつつ上方に向けて連設された左右の側壁部を有し、底部の後方側には、上方に向けて連設された後部側壁部を有しており、この左右側壁部と後部側壁部により踵部分を包み込むことを可能にしている。
【００２４】
また、前記底部の正面側と左右側と後方側の端部近傍には、下方に向けて脚部が連設されており、前記底部、左右側壁、後部側壁及び脚部は、弾性部材により一体にして構成されている。
【００２５】
そして、前記底部と前記脚部で囲まれる空間内の空洞部を前記弾性空間としており、この弾性空間は、スポンジ等の弾性体を内部に備え、圧力を受けることにより変形するとともに受けた圧力が解除されることにより復元可能としている。
【００２６】
また、弾性空間は、その内部に空気を受け入れることを可能にしており、この空気の受入は、前記通気孔を介して行われることとしている。
【実施例１】
【００２７】
本発明の靴の実施例について図面を参照して説明すると、図１は本実施例の靴の縦断側面構造を示す図であり、図において、本実施例の靴１は、一般的な靴と同様に、その下面が地面、床面等に接地するアウトソール２を有している。
【００２８】
そして、このアウトソール２の周縁部には、足全体を包み込むためのアッパー３の下端部分が連設されており、前記アウトソール２とアッパー３とにより囲まれる空間４内に足を侵入可能としている。
【００２９】
なお、前記アッパー３の構成は特に限定されず、足の甲部分を包み込むことが可能であればいずれの構成でも良い。従って、靴ひもを備えた形態としてもよく、あるいは靴ひもを備えない形態としてもよい。
【００３０】
次に、図において１１は中敷きである。即ち、本実施例の靴１では、前記アウトソール２の上部における、使用者の踵が当接する部分に中敷き１１を備えており、これにより、靴が使用者の踵に適合する構成としている。
【００３１】
ここで、前記中敷き１１について詳細に説明すると、図２は前記中敷き１１を正面側から示した概略斜視図であり、また、図３は前記中敷き１１の縦断正面構造を示す断面図である。
【００３２】
そして、本実施例における前記中敷き１１は、踵部分が当接可能な底部１３を有しており、この底部１３は弾性素材により構成されている。
【００３３】
また、前記底部１３は、中央部分に向けて僅かに山型に凸形状として凸状部１３０１が形成されている。即ち、図２において点線で囲まれた部分が凸状部１３０１であり、この凸状部１３０１及びその近傍部分は、踵による荷重を受けることによって下方側へ変形し、加わった荷重が無くなるか少なくなると元の形状に復元していく。
【００３４】
更に、前記底部１３には複数個の通気孔１３０２が形成されており、この通気孔１３０２は、底部１３の上方側から底部１３の下方側への空気の移動は許容するが、底部１３の下方側から底部１３の上方側への空気の移動を阻止する逆止弁としての機能を有している。即ち、前記通気孔１３０２は、図３において矢印で示す方向、底部１３の上方側から下方側への空気の移動のみを許容している。なお、この逆止弁の構造は特に限定しないが、本実施例においては、凸状部１３０１部分に通気孔１３０２を有しているため、この凸状部１３０１が下方側へ変形した際に通気孔１３０２が塞がれる構成としている。
【００３５】
次に、前記底部１３の左右の周縁部にはそれぞれ、上方に向けて左右側壁１４が連設されており、この左右側壁１４はそれぞれ、図２に示すように、前方から後方に向けて徐々に高さ寸法を多くするとともに、図３に示されるように、僅かに外側に向けて傾斜させている。
【００３６】
また、前記底部１３の後方側の周縁部には、上方に向けて後部側壁部１５が連設されており、この後部側壁部１５はその両端において前記左右側壁と連設されており、これにより、前記底部１３、左右側壁部１４及び後部側壁部１５によって踵部分を包み込むことを可能としている。
【００３７】
次に、図１乃至図３に示されるように、前記底部１３の前方側、左右側、及び後方側の周縁部には、下方に向けて、その下端が靴底に当接する脚部１６が連設されている。そして、この脚部１６は、図２に示されるように、後方に向けて徐々に高さ寸法を多くしており、これにより、中敷き１１を靴底に設置した際には前記底部１３が前方に向けて僅かに傾くようにしている。また、前記底部１３の前方側の周縁部に連設した脚部１６には、複数個の排気孔１６０１が形成されている。
【００３８】
そして、本実施例においては、前記底部１３、左右側壁部１４、後部側壁部１５、及び脚部１６を弾性部材により一体に形成し、これにより中敷き本体１２を構成している。
【００３９】
次に、図において１７は弾性空間である。即ち、本実施例の靴１においては、前記底部１３と前記脚部１６で囲まれる空洞部を弾性空間１７としており、この弾性空間１７は、前記底部１３が踵による荷重を受けることにより変形するとともに、加わった荷重が無くなるか少なくなると元の形状に復元する。
【００４０】
また、前記弾性空間１７内の空洞部は、例えばスポンジ等の弾性体１８で満たされており、この弾性体１８は、前記通気孔１３０２を介して内部に空気を受け入れることを可能としている。
【００４１】
次に、このように構成される中敷き１１の作用について図４乃至図６を参照して説明すると、図４乃至図６は中敷き１１と踵部分Ｈとの関係を示した図であり、図４において、足をアウトソール２とアッパー３により囲まれる空間４内（図１参照）に挿入して底部１３に踵Ｈからの荷重がかかると、底部１３はその荷重により下方に変形する。
【００４２】
そうすると、本実施例における中敷き１１では、前記底部１３、左右側壁部１４、後部側壁部１５、及び脚部１６を一体に形成して中敷き本体１２を構成しているために、底部１３の凸状部１３０１が下方に変形すると、左右側壁１４及び後部側壁１５は内側に傾き、これにより、左右側壁１４と後部側壁１５によって踵Ｈを把持することができ、従って、中敷きを踵Ｈに適合させることができる。この状態を示した図が図５である。
【００４３】
またこのとき、底部１３の凸状部１３０１の下方への変形とともに、弾性空間１７の空洞部を満たしている弾性体１８も変形し、弾性体１８の内部の空気は脚部１６に形成した排気孔１６０１を介して排気される。
【００４４】
次に、前記弾性空間１７は、弾性体１８の弾性により、圧力を受けることにより変形するとともに受けた圧力が解除されることにより復元可能であるため、底部１３への踵Ｈの荷重により変形した後には、元の形状に復元しようとする性質を有する。従って、弾性空間１７は、歩行周期において、踵着床期から足底接地期にかけて踵Ｈからの荷重がかかると縮むが、趾離床期から遊脚期にかけて荷重が解除されるにしたがって元の状態に向けて膨らんでいく。
【００４５】
その一方、弾性体１８が復元していく過程においては弾性体１８の内部に空気が入り込んでいくが、弾性体１８への空気の流入は前記通気孔１３０２を介して行われるところ、通気孔１３０２より弾性体１８への空気の流入量は底部１３上にある踵Ｈの存在により制限されるので、弾性体１８は直ちには膨らまないとともに、膨らんだ場合でも、踵Ｈを底部上に乗せる以前の状態までには復元しない。そのため、底部１３に荷重がかからない趾離床期から遊脚期にかけても底部１３の上方の間口間は大きくは開口せず、従って、歩行全周期において踵Ｈへの適合性を維持することができる。この状態を示した図が図６である。
【００４６】
このように、本実施例における中敷き１１では、足を靴の内部に挿入して底部１３に踵Ｈからの荷重がかかると、左右側壁１４及び後部側壁１５により踵Ｈを把持して靴１を踵Ｈに適合させることができるとともに、底部１３に荷重がかからない趾離床期から遊脚期にかけても踵Ｈの把持を維持し、歩行全周期において踵Ｈへの適合性を維持することができる。従って、この中敷き１１を備えた本実施例の靴１では、靴ひもを締めることなく、足部の挿入時に踵Ｈへ適合させるとともにこの適合性を維持することが可能な靴とすることができる。
【００４７】
また、足部の挿入時、及び趾離床期から遊脚期にかけて靴内に空気の流れを生じさせるために、靴内の湿潤環境を改善することも可能である。
【００４８】
なお、前記中敷き１１は、前記アウトソール２の上部に配置されていればよく、前記アウトソール２の上部に固着してもよく、あるいは着脱自在に載置してもよい。
【００４９】
次に、図１において２１は第２の中敷きであり、即ち本実施例の靴では、アウトソール２上において、前記中敷き１１が備えられた箇所以外の部分に第２の中敷き２１を備えており、この第２の中敷き２１の存在により、靴内において裸足歩行と近似した足部の重心移動を可能にして、これにより、靴による足部の易疲労性や障害を防止している。
【００５０】
即ち、歩行時には、足部の外来筋群や内在筋群が収縮することにより足底において重心が踵から趾に移動し推進力を得ているが、裸足歩行時と靴装着歩行時では重心の移動する部位が異なり、両者における収縮筋の働く時期と程度もこれに伴って異なってくる。そのため、この裸足歩行時と靴装着歩行時との重心の違いが大きい靴を装着すると、足部の易疲労性や障害を引き起こすと考えられる。そこで、本実施例の靴では、前記中敷き１１に加え、アウトソール２上における前記中敷き１１が備えられた箇所以外の部分に第２の中敷き２１を備え、これにより、靴内において裸足歩行時と近似した足部の重心移動を可能にしている。
【００５１】
ここで、前記第２の中敷き２１について説明すると、図７は前記第２の中敷き２１を一部切り欠いて示した斜視図であり、本実施例において前記第２の中敷き２１は、図１からも明らかなように、袋状とした外皮２２と、この外皮２２内に備えた複数個のブロック２３とで構成されており、前記ブロック２３は、スポンジ等の弾性体で構成されるとともに、高さ１０ｍｍ程度、幅５ｍｍ程度としている。
【００５２】
そして、その底部が前記外皮２２内の底部に固着されているとともに、それぞれのブロック２３は、隣り合うブロック２３との間にわずかに間隔を置いて配置され、歩行に伴って荷重がかかると前方に倒れ込み、かかっていた荷重が解除されると元の位置に復元可能としている。
【００５３】
即ち、図８（ａ）において、歩行に伴って、足の裏によってブロック２３ａに荷重がかかると、荷重がかかったブロック２３ａは、すぐ前方に配置されたブロック２３ｂ前方側へ倒れていく。
【００５４】
次に、後側のブロック２３ａに倒れかかられたブロック２３ｂは、後部のブロック２３ａからの圧力によってすぐ前方に配置されたブロック２３ｃ前方側へ倒れていくとともに、歩行の進行に伴って荷重が解除された後部のブロック２３ａは弾性によって元の位置に復元する。
【００５５】
そして次に、図において真ん中に位置する後側のブロック２３ｂに倒れかかられたブロック２３ｃは、後部のブロック２３ｂからの圧力によってすぐ前方に配置されたブロック（図示せず）側へ倒れていくとともに、歩行の進行に伴って荷重が解除された後部のブロック２３ｂは弾性によって元の位置に復元し、以後は歩行に伴ってこれが繰り返され、これによって重心が移動していく。
【００５６】
そのために、ブロック２３を、裸足歩行時の重心移動部に一致して配列することにより、靴内において、裸足歩行時と近似した足部の重心移動が生じることになり、これによって、足部の易疲労性や障害を防止することができる。
【００５７】
また、ブロックに荷重をかけるだけでブロックが倒れて重心が移動していくために、足部の筋群にかかる負担が従来の靴に比較して少なくなり、それにより、長時間使用した場合でも足が疲れにくくなる。
【００５８】
但し、本発明においては、この第２の中敷き２１は必ずしも必要なものではなく、これを備えない形態としてもよい。
【００５９】
また、第２の中敷き２１についても、前記アウトソール２の上部に配置されていればよく、前記アウトソール２の上部に固着してもよく、あるいは着脱自在に載置してもよい。
【００６０】
更に、前述の説明では、アウトソール２の上に中敷き１１、及び第２の中敷き２１を具備した形態を説明したが、アウトソール２の上に更にミッドソールを配置し、このミッドソール上に中敷き１１、第２の中敷き２１を固着あるいは着脱自在に備えた形態としてもよい。
【産業上の利用可能性】
【００６１】
本発明では、歩行全周期において靴の踵部への適合性を維持し、これにより靴装着歩行時における各種の障害の発生を防止しているため、通勤靴、運動靴、上履き等の靴全般に適用可能である。
【図面の簡単な説明】
【００６２】
【図１】本発明の靴の実施例の縦断側面構造を示す図である。
【図２】本発明の靴の実施例に用いる中敷きの概略斜視図である。
【図３】本発明の靴の実施例に用いる中敷きの縦断正面構造を示した図である。
【図４】本発明の靴の実施例に用いる中敷きの作用を説明するための図である。
【図５】本発明の靴の実施例に用いる中敷きの作用を説明するための図である。
【図６】本発明の靴の実施例に用いる中敷きの作用を説明するための図である。
【図７】本発明の靴の実施例に用いる第２の中敷きを一部切り欠いて示した概略斜視図である。
【図８】本発明の靴の実施例に用いる第２の中敷きの作用を説明するための図である。
【符号の説明】
【００６３】
１    靴
２    アウトソール
３    アッパー
４    アウトソールとアッパーにより囲まれる空間
１１    中敷き
１２    中敷き本体
１３    底部
１３０１    凸状部
１３０２    通気孔
１４    左右側壁
１５    後部側壁
１６    脚部
１６０１    排気孔
１７    弾性空間
１８    弾性体（スポンジ）
２１    第２の中敷き
２２    外皮
２３    ブロック
【図１】
2009045212.tif 000003
【図２】
2009045212.tif 000004
【図３】
2009045212.tif 000005
【図４】
2009045212.tif 000006
【図５】
2009045212.tif 000007
【図６】
2009045212.tif 000008
【図７】
2009045212.tif 000009
【図８】
2009045212.tif 000010